(57)【要約】【課題】ナビゲーションシステムに、最新かつ詳細な情報を提供すること。【解決手段】記憶媒体，入力検出手段，表示手段，制御手段，送受信手段を具備したナビゲーションシステムと、送受信手段，補充データを具備した補充データ提供システムとによって、ナビゲーションデータ補充システムを構築し、記録媒体に記録されたナビゲーションデータに対して最新かつ詳細なデータを補充するために、補充データ提供システムは、ナビゲーションシステムからの要求に応じた補充データを検索して、ナビゲーションシステムに対して送信する。例えば、位置情報，地図縮尺，ディスクＩＤ，画面番号等の情報により、ナビゲーションシステムの表示画面を特定した上で、補充データ提供システムは、必要とする最適情報を抽出し、ナビゲーションシステムに提供する。【選択図】　　　　図１
2004004104.tif 000002
【特許請求の範囲】
【請求項１】
ナビゲーションシステムと補充データ提供システムとを備えたナビゲーションデータ補充システムであって、
上記ナビゲーションシステムは、地図データ及びその地図データの付帯情報を格納した記憶媒体と、ユーザの入力を検出する入力検出手段と、上記記憶媒体から読み出した地図データ及びその地図データの付帯情報データをユーザに呈示するための表示手段と、上記入力検出手段からのユーザ入力を元に上記記憶媒体からデータを読み出す制御手段と、送受信手段とを具備し、
上記補充データ提供システムは、上記ナビゲーションシステムとの送受信手段と、補充データとを具備し、
上記ナビゲーションシステムは、上記表示手段に呈示した地図データの位置情報を、上記補充データ提供システムに送信し、
上記補充データ提供システムは、受信した上記位置情報から一意に定まる地域内の詳細情報を、上記補充データの中から検索抽出して、上記ナビゲーションシステムに送信することにより、
上記ナビゲーションシステムは、上記表示手段上に、上記位置情報の示す地域周辺の詳細情報をユーザに呈示することを特徴とするナビゲーションデータ補充システム。
【請求項２】
ナビゲーションシステムと補充データ提供システムとを備えたナビゲーションデータ補充システムであって、
上記ナビゲーションシステムは、地図データ及びその地図データの付帯情報を格納した記憶媒体と、ユーザの入力を検出する入力検出手段と、上記記憶媒体から読み出したデータをユーザに呈示するための表示手段と、上記入力検出手段からのユーザ入力を元に上記記憶媒体からデータを読み出す制御手段と、送受信手段とを具備し、
上記補充データ提供システムは、上記ナビゲーションシステムとの送受信手段と、ユーザに提供したディスクの内容一覧を記したディスク一覧データベースと、ユーザの必要としている情報のキーワードを抽出するキーワード抽出手段と、該キーワード抽出手段の抽出したキーワードから補充データを検索するデータ検索手段とを具備し、
上記ナビゲーションシステムは、ディスクに固有のディスクＩＤと、上記表示手段に呈示中の地図データの付帯情報提供画面の画面番号とを、上記補充データ提供システムに送信し、
上記キーワード抽出手段は、受信した上記ディスクに固有のディスクＩＤと上記画面番号とにより、上記ディスク一覧データベースから、ユーザの必要とする補充データのキーワードを抽出し、
上記データ検索手段は、上記キーワード抽出手段の抽出したキーワードを元に補充データを検索し、
上記補充データ提供システムが、上記ナビゲーションシステムに、上記データ検索手段の検索した補充データを送信することにより、
上記ナビゲーションシステムは、上記表示手段上に、上記地図データ付帯情報に上記受信した補充データを加えてユーザに呈示することを特徴とするナビゲーションデータ補充システム。
【請求項３】
請求項１または２記載において、
前記記録媒体として、光ディスクを用いることを特徴としたナビゲーションデータ補充システム。
【請求項４】
請求項３記載において、
前記光ディスクは、ＣＤ−ＲＯＭを用いることを特徴としたナビゲーションデータ補充システム。
【請求項５】
請求項４記載において、
前記ＣＤ−ＲＯＭに格納する前記地図データ及びその地図データの付帯情報の格納形式は、ＩＳＯ９６６０規格に準拠したものを用いることを特徴としたナビゲーションデータ補充システム。
【請求項６】
請求項４記載において、
前記ＣＤ−ＲＯＭに格納する前記地図データ及びその地図データの付帯情報の格納形式は、ナビゲーション研究会フォーマットに準拠したものを用いることを特徴としたナビゲーションデータ補充システム。
【請求項７】
請求項１記載において、
前記ナビゲーションシステムが、前記補充データ提供システムに送信する地図データの位置情報として、中心緯度経度情報を送信すること特徴としたナビゲーションデータ補充システム。
【請求項８】
請求項７記載において、
前記ナビゲーションシステムは、前記補充データ提供システムに、前記表示手段に呈示中の地図データの中心緯度経度情報と、さらに縮尺情報を送信することにより、
前記補充データ提供システムは、受信した上記中心緯度経度情報と上記縮尺情報とから、前記表示手段の表示範囲を求め、前記一意に定める地域とすることを特徴とするナビゲーションデータ補充システム。
【請求項９】
請求項７記載において、
前記ナビゲーションシステムは、前記補充データ提供システムに、前記表示手段に呈示中の地図データの中心緯度経度情報と、さらに呈示中の情報種別を送信することにより、
前記補充データ提供システムは、前記ナビゲーションシステムに、範囲をユーザの必要とする情報種別に限定して補充データを送信することを特徴としたナビゲーションデータ補充システム。
【請求項１０】
請求項７記載において、
前記ナビゲーションシステムはＧＰＳ受信機手段を備え、前記ナビゲーションシステムが前記補充データ提供システムに送信する中心緯度経度としては、上記ＧＰＳからの受信データを用いることを特徴としたナビゲーションデータ補充システム。
【請求項１１】
請求項２記載において、
前記ナビゲーションシステムは、前記補充データ提供システムに送信するディスクＩＤとして、ＩＳＯ３９０１で定められているＩＳＲＣ（Ｉｎｔｅｒｎａｔｉｏｎａｌ　Ｓｔａｎｄａｒｄ　Ｒｅｃｏｒｄｉｎｇ　Ｃｏｄｅ　）を用いることを特徴としたナビゲーションデータ補充システム。
【請求項１２】
請求項５記載において、
前記ナビゲーションシステムは、前記補充データ提供システムに送信するディスクＩＤとして、ＩＳＯ９６６０規格に準じたボリュームディスクリプタを用いることを特徴としたナビゲーションデータ補充システム。
【請求項１３】
請求項６記載において、
前記ナビゲーションシステムは、前記補充データ提供システムに送信するディスクＩＤとして、ナビゲーション研究会フォーマットに準じたディスクラベルを用いることを特徴としたナビゲーションデータ補充システム。
【請求項１４】
請求項１記載において、
前記補充データ提供システムは、位置情報の他に、さらに情報種別，日時，天気，ユーザの個人嗜好情報等をパラメータとして補充データを検索することを特徴としたナビゲーションデータ補充システム。
【請求項１５】
請求項２記載において、
前記データ検索手段は、ディスクＩＤ，画面番号の他に、さらに情報種別，日時，天気，ユーザの個人嗜好情報等をパラメータとして補充データを検索することを特徴としたナビゲーションデータ補充システム。
【請求項１６】
請求項１または２記載において、
前記補充データ提供システムは、補充データとして建物情報（外観，高さ）や、新規地図データ等の更新情報を送信することを特徴としたナビゲーションデータ補充システム。
【請求項１７】
請求項１または２記載において、
前記補充データ提供システムの検索したデータを前記ナビゲーションシステムに適したフォーマットに変換するデータ変換手段を、前記ナビゲーションシステム及び前記補充データ提供システムの少なくとも一方に備えたことを特徴とするナビゲーションデータ補充システム。
【請求項１８】
請求項１または２記載において、
前記ナビゲーションシステムは、複数の前記補充データ提供システムの中から、前記入力検出手段からのユーザ入力を元に前記補充データ提供システムを選択する手段を備えたことを特徴とするナビゲーションデータ補充システム。
【発明の詳細な説明】
【０００１】
【発明の属する技術分野】
本発明は、情報媒体上に記録された地図データ及びその地図データの付帯情報を利用するためのシステムに係り、さらに詳しくは、ナビゲーションシステムと、ナビゲーションシステムからの要求に応じた補充データをナビゲーションシステムに送信する補充データ提供システムとを、備えたナビゲーションデータ補充システムに関する。
【０００２】
【従来の技術】
従来から、ＣＤ−ＲＯＭ等の情報媒体から読み出した地図データを、ＣＲＴ等から構成された表示装置に表示し、リモコン等を用いたユーザからの方向指示入力に応じて地図をスクロールして表示するマップビューワーが、ドライブシミュレーション等に用いられている。
【０００３】
上記地図データを記憶した媒体には、しばしば付帯してレストラン，アミューズメント，観光案内，ゴルフ場等の情報が、テキスト，自然画，音声等のフォーマットで格納されており、目的に応じて所望の情報を参照出来るようになっている。
【０００４】
ところが、１つの媒体で広範囲の地図を網羅しているので、肝心の、実際に所望する地域の情報があまり詳しく参照できないケースがあった。また、新しくオープンしたレストラン等、媒体作成後の情報に関しても、参照することが出来なかった。
【０００５】
地図データのみに言及しても、刻々と変化する道路や、橋，トンネル等の道路構成物のデータは、常に最新情報を備えた方が望ましいので、「新しい情報を供給する」という概念では、例えば特開平７−９２９０６号公報に記載されたように、「道路地図修正データを外部記憶媒体（例えばカセットテープ）等により供給する装置」、といった技術が提案されている。
【０００６】
【発明が解決しようとする課題】
しかしながら、上記した公知例においては、新規データを供給するための情報媒体自体が作成された後の最新情報については、配慮されていなかった。
【０００７】
そこで、本発明の目的は、地図データ格納媒体において特定地域の情報を参照する際に、必要とされる最新の詳細情報を通信経由で補充できるようにすることにある。
【０００８】
【課題を解決するための手段】
本発明は上記目的を達成するため、ナビゲーションシステムと補充データ提供システムとを備えたナビゲーションデータ補充システムにおいて、
上記ナビゲーションシステムは、例えば、
地図データ及びその地図データの付帯情報を格納した記憶媒体と、
該記憶媒体から読み出したデータをユーザに呈示するための表示手段と、
ユーザの入力を検出するユーザ入力検出手段と、
現在表示中の地図，地図の付帯情報を管理し、ユーザの入力に応じて上記記憶媒体から上記表示手段に呈示するための表示内容を読み出し、上記表示手段に呈示する制御手段と、
該制御手段からの上記補充データ提供システムに対する補充データ送信要求を送信する送信手段と、
上記補充データ提供システムからの補充データを受信する受信手段と、
該受信手段の受信した補充データを格納する補充データ格納手段と、
上記記憶媒体から読み出したデータ及び上記補充データ格納手段に格納された補充データから、上記表示手段に表示するための画像を生成する画像生成手段と、から構成される。
【０００９】
また、前記補充データ提供システムは、例えば、
前記ナビゲーションシステムからの前記補充データ送信要求を受信する受信手段と、
該受信手段の受信した補充データ送信要求を元に補充すべきサービスデータを検索するデータ検索手段と、
該データ検索手段の検索した上記サービスデータを、前記ナビゲーションシステムに適したフォーマットの補充データに変換するデータ変換手段と、
該データ変換手段の変換した上記補充データを前記ナビゲーションシステムに送信する送信手段と、
外部ネットワーク（Ｗｏｒｌｄ　Ｗｉｄｅ　Ｗｅｂ等）に接続するためのネットワーク接続手段と、
該ネットワーク接続手段を用いて外部ネットワークに接続し、上記サービスデータを作成するのに必要な素材データを入手し、上記サービスデータを作成するデータ作成手段と、
該データ作成手段の作成した上記サービスデータを格納するためのデータ格納手段と、から構成される。
【００１０】
そして、前記ナビゲーションシステムから、前記補充データ提供システムに、前記表示手段に呈示した地図データの位置情報を送信し、
前記補充データ提供システムが、前記ナビゲーションシステムに、上記位置情報の示す地域周辺の詳細情報を送信することにより、
前記ナビゲーションシステムの前記表示手段上の表示画面に、上記位置情報の示す地域周辺の詳細情報を反映させる。
【００１１】
さらに、前記補充データ提供システムに、ユーザに提供したディスクの内容一覧を記したディスク一覧データベースと、ユーザの必要としている補充データのキーワードを抽出するキーワード抽出手段とを追加すると、
前記ナビゲーションシステムから、前記補充データ提供システムに、ディスクに固有のディスクＩＤと、前記表示手段に呈示中の地図データの付帯情報提供画面の画面番号とを送信することにより、
前記補充データ提供システムでは、受信したディスクＩＤ，画面番号から、上記キーワード抽出手段が、上記ディスク一覧データベースを用いてユーザが参照している地図データ付帯情報のキーワードを抽出し、
前記データ検索手段が、上記キーワード抽出手段の抽出した上記キーワードを元に補充データを検索する。
したがって、前記補充データ提供システムが、前記データ検索手段の検索した上記補充データを前記ナビゲーションシステムに送信することにより、
前記ナビゲーションシステムは、前記表示手段に呈示した地図データ付帯情報提供画面に、上記の補充データ反映させることが出来る。
【００１２】
【発明の実施の形態】
以下、本発明の実施例を図面を用いて説明する。
図１は、本発明の第１の実施例であるナビゲーションデータ補充システム１００の構成を示すブロック図であり、ナビゲーションシステム１０１と、補充データ提供システム１０２とから構成される。
【００１３】
ナビゲーションシステム１０１は、地図データ及びその地図データの付帯情報を格納した記憶媒体１０３と、ユーザの入力を検出する入力検出手段１０４と、記憶媒体１０３から読み出したデータをユーザに呈示するための表示手段１０５と、表示手段１０５の表示内容を記憶する表示内容記憶手段１０６と、入力検出手段１０４からのユーザ入力を元に記憶媒体１０３からデータを読み出す制御手段１０７と、制御手段１０７から補充データ提供システム１０２への補充データ送信要求を送信する送信手段１０９と、補充データ提供システム１０２からの補充データを受信する受信手段１１１と、受信手段１１１の受信した補充データを格納する補充データ格納手段１１０と、記憶媒体１０３から読み出したデータ及び補充データ格納手段１１０に格納された補充データから、表示手段１０５に表示するための画像を生成する画像生成手段１０８と、から構成される。
【００１４】
また、補充データ提供システム１０２は、ナビゲーションシステム１０１からの補充データ送信要求を受信する受信手段１１２と、受信手段１１２の受信した補充データ送信要求を元に補充すべきサービスデータを検索するデータ検索手段１１５と、データ検索手段１１５の検索したサービスデータをナビゲーションシステム１０１に適したフォーマットに変換するデータ変換手段１１３と、データ変換手段１１３の変換した補充データをナビゲーションシステム１０１に送信する送信手段１１４と、外部ネットワーク（Ｗｏｒｌｄ　Ｗｉｄｅ　Ｗｅｂ等）１１９に接続するためのネットワーク接続手段１１７と、ネットワーク接続手段１１７を用いてネットワークに接続し、サービスデータを作成するに必要な素材データを入手し、サービスデータを作成するデータ作成手段１１８と、データ作成手段１１８の作成したサービスデータを格納するためのデータ格納手段１１６と、から構成される。
【００１５】
ここで、サービスデータとは、補充データ提供システム１０２がナビゲーションシステム１０１に送信する補充データを作成するに必要な、「テキスト」，「自然画」，「音声」等の素材データ群を指す。また、素材データ群は、緯度経度（以下、経緯度と呼ぶ）と、情報種別（レストラン情報，美術館情報，アミューズメント情報，ゴルフ場情報，観光情報等）から検索できるデータベース構造とする。
【００１６】
記憶媒体１０３には、地図データや、格納された地図データの付帯情報（以下、地図データ付帯情報と呼ぶ）が記録されている。地図データ付帯情報とは、例えば、格納されている地域のレストラン情報，美術館情報，アミューズメント情報，ゴルフ場情報，観光情報等であり、記録の表現手段として、テキスト，自然画，音声等を単独もしくは併用して使用する。また、地図データ付帯情報を提供する地図データ付帯情報提供画面には、各々画面番号を与える。
【００１７】
記録媒体１０３としては、ＣＤ−ＲＯＭを用い、各データの記録方式としては、ナビゲーション研究会フォーマットを用いる。また、この記録媒体１０３には、ディスクの種類を特定するためのディスクＩＤを与えておく。
【００１８】
入力検出手段１０４は、リモコンやキーボードや音声等によるユーザ入力を検出する。ユーザからの入力は、表示手段１０５上に呈示したメニューや仮想的なボタン表示（以下、ボタンと呼ぶ）等の選択や、地図データ表示時のスクロール指定等である。
【００１９】
表示手段１０５は、地図や観光案内等、ＣＤ−ＲＯＭから読み出した各種情報をユーザに呈示する。
【００２０】
表示内容記憶手段１０６は、表示手段１０５に呈示中の画面を特定するための情報を記憶する。地図データ呈示中であれば、地図の中心経緯度，縮尺情報等を記憶し、地図データ付帯情報呈示中であれば、ディスクＩＤ及び呈示中の画面番号を記憶する。
【００２１】
制御手段１０７は、入力検出手段１０４からのユーザ入力に対応したデータを、記憶媒体１０３や、補充データ格納手段１１０から読み出し、表示内容を表示内容記憶手段１０６に格納し、表示するためのデータを画像生成手段１０８に送る。また、制御手段１０７は、表示内容記憶手段１０６に格納された呈示中の画面を特定するための情報を元に、補充データ提供システム１０２に対して呈示中の表示内容に関連する補充データの送信を依頼するための、補充データ送信要求を送信する。
【００２２】
画像生成手段１０８は、制御手段１０７からのデータを元に表示画面を作成する。
【００２３】
送信手段１０９は、制御手段１０７の補充データ提供システム１０２への補充データ送信要求を送信する。
【００２４】
受信手段１１１は、制御手段１０７が補充データ提供システム１０２へ補充データ送信要求を送信した結果、ナビゲーションシステム１０１が補充データ提供システム１０２から受信した補充データを受信する。
【００２５】
補充データ格納手段１１０は、受信手段１１１の受信した補充データ提供システム１０２からの補充データを格納する。
【００２６】
また、補充データ提供システム１０２の受信手段１１２は、ナビゲーションシステム１０１からの補充データ送信要求を受信する。
【００２７】
データ検索手段１１５は、受信手段１１２の受信した補充データ送信要求を元に、サービスデータを検索する。
【００２８】
データ変換手段１１３は、データ検索手段１１５の検索したサービスデータを、ナビゲーションシステム１０１に送信するに適したフォーマットに変換する。
【００２９】
送信手段１１４は、データ変換手段１１３の変換した補充データをナビゲーションシステム１０１に送信する。
【００３０】
ネットワーク接続手段１１７は、補充データ提供システムシステム１０２が、外部ネットワーク１１９に接続するのに用いる。
【００３１】
データ作成手段１１８は、ネットワーク接続手段１１７を用いて外部ネットワーク１１９上の各種データを収集し、サービスデータとして必要なデータを作成する。
【００３２】
データ格納手段１１６は、データ作成手段１１８の作成したサービスデータを格納する。
【００３３】
次に、図２のＣＤ−ＲＯＭデータ構成図を用いて、ナビゲーション用ＣＤ−ＲＯＭのデータ構成を説明する。
【００３４】
２０１は地図データを示し、道路や、建物等の形や、経緯度や、「２重丸」，「白３角」，「黒３角」等のマーク等で構成する。なお、マーク（２重丸，白３角，黒３角等）は、マークの記された経緯度に、地図データ付帯情報が存在することを示す。
【００３５】
２０２〜２０５は、地図データ付帯情報の１例である。
２０２は、地図データ付帯情報提供画面の雛形で、「テキスト」，「自然画」，「音声」等のデータをはめ込む場所及び、各種ボタンを定義する。
【００３６】
２０３は、２０２で解説した雛形にはめ込む素材データで、「テキスト」，「自然画」，「音声」等のデータで構成する。
【００３７】
２０４は、関連データ索引で、地図データ上のマークと、マークの保持する地図データ付帯情報の種別及び、格納場所を示す。例えば「レストランＡ」は、詳細情報として、「テキスト」，「自然画」データを持ち、地図上の経緯度「東経１３９．４２，北緯３５．３９」の位置の「２重丸」マークに対応する。
【００３８】
２０５は、マーク一覧で、各マークと情報種別の対応を示すテーブル構造とする。例えば、「首都圏でデート！」のＣＤ−ＲＯＭは、レストラン，美術館，アミューズメント等のマークを保持する。ユーザは、マークの表示（ＯＮ）／非表示（ＯＦＦ）を設定することにより、表示手段１０５上に、参照したいマークのみを呈示するよう指定出来る。マークの設定は、メニュー等を用いて行う。
【００３９】
ユーザがマークを選択すると、制御手段１０７は、関連データ索引２０４を参照し、選択された経緯度の位置にあるマークの保持する詳細情報（地図データ付帯情報）を呈示する。
【００４０】
図３は、ナビゲーションシステム１０１が表示手段１０５上に呈示する画面の推移を示す。
図３の（ａ）は、制御手段１０７が、記憶媒体１０３から地図データ２０１を読み出し、表示手段１０５に呈示した様子を示す。地図データ上の「２重丸」マークは、現在「レストラン」情報が参照されていることを示す。
【００４１】
図３の（ｂ）は、制御手段１０７が記憶媒体１０３から読み出した地図データ２０１の上に、補充データ格納手段１１０から読み出した補充データを重ね合わせて、表示手段１０５に呈示した様子を示す。
【００４２】
図３（ｃ）は、ユーザが表示手段１０５に呈示された地図上のマーク３０３を選択した結果、制御手段１０７が表示手段１０５にユーザの選択したマークの保持する地図データ付帯情報３０４を呈示した様子を示す。
【００４３】
ユーザが図３の（ａ）に示す地図データを参照している時、ナビゲーションシステム１０１は、表示手段１０５に表示中の地図データの中心経緯度（ｌｘ，ｌｙ）を、補充データ送信要求として補充データ提供システム１０２へ送信する。
【００４４】
データ検索手段１１５は、データ格納手段１１６から、「経緯度（ｌｘ，ｌｙ）周辺の詳細情報」を検索し、検索したサービスデータをデータ変換手段１１３に送る。
【００４５】
データ変換手段１１３は、データ検索手段１１５の検索したサービスデータをナビゲーションシステム１０１の描画システムに適したフォーマットに変換し、補充データとしてナビゲーションシステム１０１に送信する。
【００４６】
図４は、ナビゲーションシステム１０１への補充データ例を示す。
４０１，４０２は、図２で説明した地図データ付帯情報の素材データ２０３及び関連データ索引２０４の補充データである。ナビゲーションシステム１０１は、素材データとしては、新たに「テキスト」，「自然画」，「音声」データを受信し、関連データ索引としては、「レストランＤ」，「レストランＥ」，美術館「Ｄ」，美術館「Ｆ」に関するデータを受信している。
【００４７】
ナビゲーションシステム１０１の制御手段１０７は、受信手段１１１で受信した補充データを補充データ格納手段１１０に格納する。
【００４８】
図３の（ｂ）は、ナビゲーションシステム１０１が、補充データ提供システム１０２から受信した補充データを、図３の（ａ）の地図上に、マーク３０２，３０３等として重ねて呈示した様子を示す。
【００４９】
制御手段１０７は、補充データ格納手段１１０に格納した関連データ索引４０２から、経緯度情報，マーク情報を読み出し、画像生成手段１０８に送る。
【００５０】
画像生成手段１０８は、予め表示手段１０５に呈示してある地図データ２０１上の関連データ索引経緯度の位置に重ね合せて、指定マーク３０２〜３０３「２重丸」及び「白３角」マークを新たに呈示する。
【００５１】
図３の（ｃ）は、ユーザがマーク３０３を選択した結果、ナビゲーションシステム１０１が、表示手段１０５に呈示する画面を表す。
【００５２】
ユーザがマーク３０３を選択すると、制御手段１０７は、記憶媒体１０３から読み出した関連データ索引２０４、もしくは補充データ格納手段１１０に格納した関連データ索引４０２の中から、マーク３０３の経緯度と一致する経緯度を持つマークを検索し、そのマークの持つ詳細情報（テキスト，自然画等）を画像生成手段１０８に送る。
【００５３】
画像生成手段１０８は、制御手段１０７の指示する詳細情報（例えば、テキストデータ４０３）を、表示手段１０５に呈示する。
【００５４】
本実施例では、補充データ送信要求として中心経緯度（ｌｘ，ｌｙ）を用いたが、さらに地図の縮尺を送ることにより、表示手段１０５に呈示中の地図データの表示範囲が特定出来るので、補充データ提供システム１０２がナビゲーションシステム１０１に送信すべきデータを特定出来る。また、表示中の情報種別をさらに送信することにより、補充データ提供システム１０２がナビゲーションシステム１０１に送信すべき情報種別をも特定することが出来、さらに送信すべきデータ量を削減出来る。
【００５５】
図５に、本発明の第２の実施例であるナビゲーションデータ補充システム１００のブロック図を示す。
【００５６】
本実施例は、図１の補充データ提供システム１０２に、新たにキーワード抽出手段５０１と、ディスク一覧データベース５０２とを追加した構成としたものであり、図１と均等なものには同一符号を付して、その説明は重複を避けるために割愛する。
【００５７】
ディスク一覧データベース５０２は、ユーザに提供する記憶媒体１０３の地図データ付帯情報一覧で、ディスクＩＤと画面番号から、表示中の画面内容を特定するテーブル構成となっている。次の表１にディスク一覧データベースを示す。
【００５８】
【表１】
2004004104.tif 000003
【００５９】
キーワード抽出手段５０１は、ナビゲーションシステム１０１からの補充データ送信要求と、ディスク一覧データベース５０２とから、表示中画面に関連したサービスデータのキーワードを抽出する。
【００６０】
データ検索手段１１５は、キーワード抽出手段５０１の抽出したキーワードを用いてサービスデータを検索する。
【００６１】
データ作成手段１１８は、ディスク一覧データベース５０２を元に、ネットワーク接続手段１１７を用いて外部ネットワーク上の各種データを収集し、サービスデータとして必要なデータを作成する。
【００６２】
図６は、ナビゲーションシステム１０１が表示手段１０５を用いてユーザに呈示する、地図データ付帯情報提供画面の画面推移を示す図である。
【００６３】
図６の（ａ）は、制御手段１０７が記憶媒体１０３から読み出した地図データ付帯情報２０２〜２０５のうち、例えば画面番号「１」の「レストランをリストアップする画面」を表示手段１０５に呈示した様子を示す。画面上には、現在青山（地名）にあるレストランの店名３件がリストアップされており、ユーザは、レストランＡ〜Ｃの中から所望のレストランを選択することにより、詳細情報を参照する事が出来る。ユーザがキーパッドやリモコン等を用いて表示手段１０５上に表示されたボタンを選択すると、制御手段１０７は、そのボタンに対応した画面を呈示する。
【００６４】
例えば、ユーザが「ＳＴＡＲＴ」ボタン６０１を選択すると、情報提供画面の「スタート画面」に推移し、「ＭＥＮＵ」ボタン６０２を選択すると、「レストラン」，「ゴルフ場」等何を検索するかのメニュー画面に推移する。「ＥＮＤ」ボタン６０３を選択すると、地図データ付帯情報提供画面を終了する。
【００６５】
図６の（ｂ）は、ナビゲーションシステム１０１が、補充データ提供システム１０２に補充データ送信要求を送信した結果、補充データ提供システム１０２から受信した補充データを、図６の（ａ）の画面に重ねて呈示した様子を示す図である。
【００６６】
ナビゲーションシステム１０１は、補充データ送信要求としてディスクＩＤ「首都圏でデート！」と、画面番号「１」を送信する
補充データ提供システム１０２は、受信手段１１２で受信した補充データ送信要求をキーワード抽出手段５０１に送る。
【００６７】
キーワード抽出手段５０１は、ディスク一覧データベース５０２を参照して、サービスデータを検索すべきキーワードを抽出する。キーワード抽出手段５０１は、補充データ送信要求として、「ディスクＩＤ」と「画面番号」を取得した場合には、表１に示すディスク一覧データベースを参照して、キーワードを抽出する。
【００６８】
ディスク一覧データベース５０２は、「ディスクＩＤ」及び「画面番号」と、表示手段１１３に呈示中の画面の表示内容を表すキーワードとで構成する。例えば、ディスクＩＤ「首都圏でデート！」，画面番号「１」の場合は、キーワードは、「青山，レストラン」と特定される。
【００６９】
データ検索手段１１５は、キーワード抽出手段５０１の抽出したキーワードを用いて、データ格納手段１１６から、キーワードに関連する「テキスト」，「自然画」，「音声」等のサービスデータを検索する。
【００７０】
補充データ提供システム１０２は、データ検索手段１１５の検索したサービスデータをデータ変換手段１１３で補充データに変換し、送信手段１１４でナビゲーションシステム１０１に送信する。
【００７１】
ナビゲーションシステム１０１は、受信手段１１１で補充データ提供システム１０２から補充データを受信し、補充データ格納手段１１０に格納する。
【００７２】
図４に、補充データ提供システム１０２がナビゲーションシステム１０１に送信した補充データ例を示す。第１の実施例と同一内容であるので、図４を適用する。
【００７３】
制御手段１０７は、記憶媒体１０３と、補充データ格納手段１１０に格納した補充データとから、情報提供画面を作成するための雛形生成情報２０２と、素材データ２０３及び４０１と、関連データ索引２０４及び４０２とを読み出して、画像生成手段１０８に送る。
【００７４】
図６の（ｂ）は、補充データを受信した結果、ナビゲーションシステム１０１が表示手段１０５に呈示する画面を示す。ナビゲーションシステム１０１は、補充データとして「レストランＤ」，「レストランＥ」に関する情報を受信したので、図６の（ａ）の画面にレストラン情報を２件追加して、図６の（ｂ）として表示手段１０５に呈示する。
【００７５】
図６の（ｃ）は、図６の（ｂ）において、ユーザが「レストランＥ」を選択した結果を示す。
【００７６】
画像生成手段１０８は、雛形生成情報２０２のテキストはめ込み部分に、タイトルとしてテキストデータ「レストランＥ」、お店の詳細情報としてテキストデータ「あっさりしたフレンチレストラン　デザートおすすめ！」等をはめ込み、自然画データとしてメニュー例の写真をはめ込む。
【００７７】
また例えば、図６の（ｃ）において、ユーザが「ＭＡＰ」ボタン６０５を選択した場合には、制御手段１０７は、関連データ索引４０２に含まれる経緯度情報と、地図データ２０１を画像生成手段１０８に送る。
【００７８】
画像生成手段１０８は、取得した経緯度周辺を含む地図を、表示手段１０５に呈示するので、ユーザは、レストランの所在地を含む地図を参照することが出来る。
【００７９】
なお、前述した実施例では、記録媒体としてＣＤ−ＲＯＭを用いたが、ＤＶＤ（Ｄｉｇｉｔａｌ　Ｖｉｄｅｏ　Ｄｉｓｃ）等の光ディスクを用いてもよい。
【００８０】
また、前述した実施例では、前記ディスクＩＤとして、ディスクのタイトルを用いたが、ＩＳＯ３９０１で定められているＩＳＲＣ（Ｉｎｔｅｒｎａｔｉｏｎａｌ　ＳｔａｎｄａｒｄＲｅｃｏｒｄｉｎｇ　Ｃｏｄｅ　）サブコード（Ｑチャンネルに記載）、または、ナビゲーション研究会フォーマットで定められるディスクラベル等を用いてもよい。
【００８１】
また、前述した実施例では、サービスデータから補充データへのフォーマット変換は、補充データ提供システム１０２側で行ったが、ナビゲーションシステム１０１側で行っても良い。
【００８２】
また、前述した実施例では、ナビゲーションシステム１０１が補充データ提供システム１０２に送信する経緯度情報としては、表示手段１０５の呈示している地図データの中心経緯度を用いたが、システムがＧＰＳ（Ｇｌｏｂａｌ　Ｐｏｓｉｔｉｏｎｉｎｇ　Ｓｙｓｔｅｍ　）を備える場合には、ＧＰＳを用いて取得した経緯度情報を送信するようにしてもよい。
【００８３】
また、前述した実施例では、補充データ提供システム１０２からナビゲーションシステム１０１に送信する補充データとしては、「テキスト」，「自然画」，「音声」等のデータを用いたが、その他、建物情報（外観，高さ等）や、新規地図データ等の更新情報を送ってもよい。
【００８４】
また、前述した実施例では、データ検索手段１１５がデータを検索する際に、「経緯度」，「情報種別」等のパラメータを用いたが、この他に、「日時」，「天気」，「ユーザの年齢／性別」，「ユーザの嗜好」情報等のパラメータを用いて、「クリスマスにおすすめのレストラン」，「晴れの日におすすめのアミューズメントスポット」，「３０代マダムに人気のブティック」というふうに情報を絞ってもよい。
【００８５】
また、前述した実施例では、ナビゲーションシステム１０１と補充データ提供システム１０２間の通信手段については、特に言及していないが、携帯電話，ラジオ，衛星チャンネル等の無線手段を用いてもよい。
【００８６】
また、前述した実施例では、補充データ提供システムは、１つしか定義していないが、複数の補充データ提供システムが存在し、かつ各々提供する補充データが偏っている場合には、ナビゲーションシステム１０１に、ユーザが自分の嗜好にあった補充データ提供システム１０２を選択するための手段を備えてもよい。
【００８７】
【発明の効果】
以上のように本発明によれば、ナビゲーションシステムの利用者が必要とする最新かつ詳細な情報を提供することが出来る。
【図面の簡単な説明】
【図１】本発明の第１の実施例によるナビゲーションデータ補充システムのブロック図である。
【図２】本発明の第１の実施例において記録媒体として用いるＣＤ−ＲＯＭのデータ構成の１例を示す説明図である。
【図３】本発明の第１の実施例における、ナビゲーションシステムの画面推移の１例を示す説明図である。
【図４】本発明の第１の実施例における、ナビゲーションシステムへの補充データの１例を示す説明図である。
【図５】本発明の第２の実施例によるナビゲーションデータ補充システムのブロック図である。
【図６】本発明の第２の実施例における、地図データ付帯情報提供画面の画面推移の１例を示す説明図である。
【符号の説明】
１００　ナビゲーションデータ補充システム
１０１　ナビゲーションシステム
１０２　補充データ提供システム
１０３　記憶媒体
１０４　入力検出手段
１０５　表示手段
１０７　制御手段
１０８　画像生成手段
１０９　送信手段
１１０　補充データ格納手段
１１１　受信手段
１１２　受信手段
１１３　データ変換手段
１１４　送信手段
１１５　データ検索手段
１１６　データ格納手段
１１７　ネットワーク接続手段
１１８　データ作成手段
１１９　外部ネットワーク
５０１　キーワード抽出手段
５０２　ディスク一覧データベース
【図１】
2004004104.tif 000004
【図２】
2004004104.tif 000005
【図３】
2004004104.tif 000006
【図４】
2004004104.tif 000007
【図５】
2004004104.tif 000008
【図６】
2004004104.tif 000009
【手続補正書】
【提出日】平成15年7月22日(2003.7.22)
【手続補正１】
【補正対象書類名】明細書
【補正対象項目名】特許請求の範囲
【補正方法】変更
【補正の内容】
【特許請求の範囲】
【請求項１】
地図データ及びその付帯情報を格納すると共に識別ＩＤを付与された記憶媒体と、要求される入力を検出する入力検出手段と、記憶媒体からデータを読み出す制御手段と、地図等を表示する表示手段と、前記入力検出手段によって検出される入力に基づき前記表示手段に地図及びその地図上にレストラン等の付帯情報を表示するナビゲーション端末であって、
前記ナビゲーション端末は、表示に現在使用中の記憶媒体の識別ＩＤと、表示手段に表示中の表示内容を特定するための特定情報とを、ナビゲーションセンタに送信する送信手段と、前記送信手段からの信号に基づいて前記ナビゲーションセンタの有する一覧データベースから検索された、識別ＩＤと表示中の表示内容に対応した位置情報や詳細情報を含む複数の情報種別毎の付帯情報を受信する受信手段と、前記受信手段を介して受信された前記複数の情報種別毎の付帯情報が記憶される格納手段とを備え、
前記格納手段に記憶された前記複数の情報種別毎の付帯情報を、表示手段に表示中の地図上に重ね合わせて表示することを特徴とするナビゲーション端末。
【請求項２】
地図データ及びその付帯情報を格納すると共に識別ＩＤを付与された記憶媒体と、要求される入力を検出する入力検出手段と、記憶媒体からデータを読み出す制御手段と、地図等を表示する表示手段と、前記入力検出手段によって検出される入力に基づき前記表示手段に地図及びその地図上にレストラン等の付帯情報を表示するナビゲーション端末であって、
前記ナビゲーション端末は、表示に現在使用中の記憶媒体の識別ＩＤと、表示手段に表示中の表示内容を特定するための特定情報とを、ナビゲーションセンタに送信する送信手段と、前記送信手段からの信号に基づいて前記ナビゲーションセンタの有する一覧データベースから検索された、識別ＩＤと表示中の表示内容に対応した位置情報や詳細情報を含む複数の情報種別毎の付帯情報を受信する受信手段と、
前記受信手段を介して受信された前記複数の情報種別毎の付帯情報が記憶される格納手段とを備え、
前記格納手段に記憶された前記複数の情報種別毎の付帯情報を表す形状のマークを前記付帯情報の位置情報にしたがって前記地図上に表示し、且つ地図上に表示されたマークの１つがユーザによって選択されると、選択された前記マークに対応した付帯情報の詳細情報を前記地図上に重ね合わせて表示することを特徴とするナビゲーション端末。